(57)【要約】【課題】  部品点数及び組立工数の増大を抑えつつ、系全体の荷重バランスを均等化でき、車室内振動を十分に低減できる排気系構造を提供する。【解決手段】  排気系１００は、排気系マニホールドに連接されたフロントパイプ１１、触媒２１，３１、センターパイプ４１、マフラ５、及びテールパイプ６等が連接されたものである。マフラ５にはサポートブラケットＢ１，Ｂ３が設けられ、触媒３２にはサポートブラケットＢ２が設けられている。これにより、サポートブラケットＢ１，Ｂ２，Ｂ３を頂点として描かれる図示一点鎖線で示される仮想的な三角形領域Ｒ１ａのなかに、排気系１００の全体重心Ｇ１、及びマフラ５の重心Ｍが位置している。【選択図】  図１
2005219709.tif 000002
【特許請求の範囲】
【請求項１】
内燃機関を有する車両に備えられており、排気管、触媒、及びマフラを含む排気系全体が３つの荷重支持点で支持されるように構成されており、
平面視において、前記排気系の全体重心が、前記３つの荷重支持点を頂点として形成される三角形の仮想領域内に位置しており、且つ、
平面視において、前記マフラの重心も、前記３つの荷重支持点を頂点として形成される三角形の仮想領域内に位置する、
排気系構造。
【発明の詳細な説明】
【技術分野】
【０００１】
本発明は、排気系構造に関する。
【背景技術】
【０００２】
車両等の内燃機関に連設された排気管、マフラ、触媒等で構成される排気系を車両本体に支持する構造としては、一般に、排気系全体における適宜の箇所を、例えば６点以上の多点で荷重支持するものが用いられている。しかし、支持点数を増やせば増やす程、部品点数及び組立工数が増加してしまうと共に、車体への騒音振動の入力点が増えて車室内振動が増大してしまう傾向にある。そこで、これらの不都合を解消すべく、特許文献１及び特許文献２には、排気系を構成するフロントパイプにおける１点とマフラにおける２点を支持する構造を有する排気装置が記載されている。この排気装置は、これら３つの支持点を結ぶ三角形の平面領域内に、フロントパイプ及びマフラを含めた系の重心を位置せしめることにより、支持バランス及び支持剛性の向上を図っている。
【特許文献１】実公昭６０−１３８２１号公報
【特許文献２】実公昭６０−１２６１５号公報
【発明の開示】
【発明が解決しようとする課題】
【０００３】
しかし、上記従来の排気装置では、当該公報中に記載されるフロントパイプよりも前段（内燃機関側）に設けられた触媒や排気管の排気系に占める荷重割合が無視できないものと想定され、よって、排気系全体の重心（全体重心）はより内燃機関側に位置するものと推定される。その結果、３つの支持点に印加される排気系全体の荷重バランスを十分に均等化することができないおそれがある。排気系は、通常、支持点において振動吸収用のサポートゴムを介して車両に接続されているが、支持点における荷重バランスが崩れると、サポートゴム毎に伸び状態が異なってしまう。そうなると、荷重がより大きく印加された支持点における比較的伸びた状態のサポートゴムは、振動の吸収効果が低下する傾向にある。その結果、排気系のアライメント不良が生じ易くなり、また、騒音振動（ＮＶ）の増大を招いてしまい、車室内の振動レベルが悪化する傾向にある。
【０００４】
さらに、排気系の構成部材（部品）のなかでは、マフラが比較的大型且つ大重量であり、このようなマフラを２点で支持するようにした場合、支持位置によってはマフラ単体の荷重が偏ってしまい、やはり荷重バランスが崩れる懸念がある。こうなると、排気系のアライメント不良が更に生じ易くなると共に、騒音振動が一層増大してしまう。
【０００５】
そこで、本発明はかかる事情に鑑みてなされたものであり、部品点数及び組立工数の増大を抑えつつ、系全体の荷重バランスを均等化でき、これにより、車室内振動を十分に低減できる排気系構造を提供することを目的とする。
【課題を解決するための手段】
【０００６】
上記課題を解決するために、本発明による排気系構造は、内燃機関を有する車両に備えられており、排気管、触媒、及びマフラを含む排気系全体が３つの荷重支持点で支持されるように構成されており、平面視において、排気系の全体重心が、それら３つの荷重支持点を頂点として形成される三角形の仮想領域内に配置され、且つ、平面視において、マフラ単体の重心も、その同じ三角形の仮想領域内に配置されたものである。
【０００７】
なお、「平面視において」とは、水平に静止された車両に排気系が保持された状態での平面を示し、「重心が、（略）仮想的な三角形領域内に位置する」とは、その「重心」の当該平面における二次元座標位置が、当該平面における仮想的な三角形の二次元座標領域内に存在することを示す。また、マフラが複数設けられていてもよく、この場合、複数のマフラのうち最も重量が大きいもの（つまり排気系の全体荷重に最も寄与するもの）の重心が、三角形の仮想領域内に配置されていればよい。
【０００８】
このように構成された排気系構造においては、排気系全体が３つの荷重支持点で支持されるので、より多点による支持構造に比して、部品点数及び組立工数が少なくて済む。また、車両への振動の入力箇所が、より多点で支持する構造に比して少なくされる。さらに、より多点で支持する構造に比して、支持されていない部位をより薄い部材厚としても十分な強度が確保される。
【０００９】
またさらに、排気管、触媒、及びマフラを含めた排気系の全体重心が、平面視において、３つの荷重支持点を頂点として形成される仮想的な三角形領域内に位置するので、各荷重支持点に印加される荷重が均等化される。しかも、排気系を構成する部材（部品）のなかでも、重量が大きい傾向にあるマフラの重心（単体重心）が、その同じ仮想的な三角形領域内に位置するので、各支持点に均等化された荷重バランスが更に良好となり、且つ、その状態がより良く保持される。
【００１０】
また、従来は、車両の内燃機関の運転に起因する共振周波数及びその近傍周波数の振動を低減すべく、マフラ等にダイナミックダンパを取り付ける傾向にあったが、本発明の排気系構造を採用すれば、排気系の全体荷重及びマフラ荷重が十分に均等化されて支持されることにより騒音振動が格段に低減されるので、ダイナミックダンパを用いなくともよい。さらに、マフラが車両の前後方向の略中央部に配置される排気系では、排気系の全体重心が、マフラからマフラ近傍の触媒寄りに位置することが多くなり得る。この場合、本発明を用いれば、ホイールベースの相違によって排気系全長が変化しても、支持点を増やすことなく、必要最小限の３点支持で荷重を十分に均等化した支持が可能となる。
【発明の効果】
【００１１】
本発明の排気系構造によれば、排気系全体を必要最小限の３つの支持点で支持すると共に、これら支持点を頂点として形成される仮想的な三角形領域内に、排気系全体及びマフラの両方の重心が位置するように構成されるので、部品点数及び組立工数の増大を抑えつつ、系全体の荷重バランスを均等化でき、これにより、車室内振動を十分に低減することができる。
【発明を実施するための最良の形態】
【００１２】
以下、本発明の実施形態について詳細に説明する。なお、同一要素には同一の符号を付し、重複する説明を省略する。また、上下左右等の位置関係は、特に断らない限り、図面に示す位置関係に基づくものとする。また、図面の寸法比率は、図示の比率に限られるものではない。
【００１３】
図１（Ａ）は、本発明による排気系構造の好適な第一実施形態を示す平面図であり、図１（Ｂ）は、同側面図である。排気系１００（排気系構造）は、車両に備わる内燃機関としてのＶ型エンジンに設けられる２つの排気系マニホールド（何れも図示せず）に接続されるものである。排気系１００は、一方の排気系マニホールドに連接されたフロントパイプ１１、触媒２１，３１、及びセンターパイプ４１、並びに、他方の排気系マニホールドに連接されたフロントパイプ１２、触媒２２，３２、及びセンターパイプ４２を有している。また、センターパイプ４１，４２の後方端には、マフラ５及びテールパイプ６が連接されている。
【００１４】
さらに、マフラ５におけるセンターパイプ４１寄りの部位、及びその略対角線上に位置するテールパイプ６寄りの部位には、サポートブラケットＢ１，Ｂ３が設けられており、触媒３２には、サポートブラケットＢ２が設けられている。各サポートブラケットＢ１，Ｂ２，Ｂ３は、図示しないサポートゴムを介して車体に接続されており、サポートブラケットＢ１，Ｂ２，Ｂ３とサポートゴムとの接続部位が、本発明における３つの荷重支持点として機能し、排気系１００全体が車両に保持されている。またさらに、テールパイプ６の後方端部には、ぶれ止め用の補助ブラケットＶが設けられており、サポートゴムを介して車両に接続されている。なお、サポートブラケットＢ１，Ｂ２，Ｂ３が存在する状態では、この補助ブラケットＶは荷重支持に殆ど寄与せず、荷重支持点は、３つのサポートブラケットＢ１，Ｂ２，Ｂ３におけるサポートゴムとの接続点とされている。
【００１５】
また、排気系１００では、平面視において（つまり図１（Ａ）において）、サポートブラケットＢ１，Ｂ２，Ｂ３を頂点として描かれる図示一点鎖線で示される仮想的な三角形領域Ｒ１ａのなかに、排気系１００の全体重心Ｇ１、及びマフラ５の重心Ｍが位置している。
【００１６】
このように構成された排気系１００においては、排気系１００の全体が３つの荷重支持点で車両に接続されて保持されるので、より多くの荷重支持点による支持構造を有する排気系に比して、部品点数及び組立工数を軽減できる。よって、車両の軽量化及びコストダウンを図ることができる。また、より多点で支持する構造に比して、車両への騒音振動等の振動の入力箇所（入力点数）を低減できる。よって、車室内の振動及び騒音レベルを軽減することが可能となる。さらに、より多点で支持する構造に比して、フロントパイプ１１，１２、センターパイプ４１，４２、テールパイプ６等の部材厚（板厚）をより薄くしても、十分な機械強度及び構造強度を担保できる。よって、更なる軽量化及びコストダウンを実現できる。
【００１７】
またさらに、排気系１００の全体重心Ｇ１が、平面視において、サポートブラケットＢ１，Ｂ２，Ｂ３を頂点として形成される仮想的な三角形領域Ｒ１ａ内に位置するので、各サポートブラケットＢ１，Ｂ２，Ｂ３及びそれに接続された各サポートゴムに印加される荷重が均等化される。よって、一部の荷重支持点への局所的な荷重集中を防止できるので、サポートゴムによる所望の振動吸収効果を良好に発現させることができる。したがって、排気系１００のアライメント不良の発生を抑止できる。また、騒音振動の増大を十分に抑制できるので、車室内の振動レベルの悪化を更に防止することができる。
【００１８】
さらにまた、排気系１００の構成部材のなかでも、重量が大きく全体荷重への寄与が比較的大きいマフラ５の重心Ｍが、同じく仮想的な三角形領域Ｒ１ａ内に位置するので、各サポートブラケットＢ１，Ｂ２，Ｂ３に均等化された荷重バランスが更に良好となり、且つ、その状態をより良く保持できる。したがって、排気系１００の振動が更に低減され、車室内の騒音及び振動レベルを一層低減でき、静粛性の更なる向上を実現できる。
【００１９】
加えて、このように騒音及び振動レベルを十分に低減できるので、従来必要であったダイナミックダンパを削減できる。よって、排気系１００を一層軽量化できると共に、部材コスト及び組立工数をより低減することが可能となる。
【００２０】
図２（Ａ）は、本発明による排気系構造の好適な第二実施形態を示す平面図であり、図２（Ｂ）は、同側面図である。排気系２００（排気系構造）は、センターパイプ４１，４２の代わりに、それらよりも直管部位が長尺なセンターパイプ４３，４４を備えること以外は、図１（Ａ）及び（Ｂ）に示す排気系１００と同様に構成されたものである。より具体的には、排気系２００を備える車両のホイールベースが、排気系１００を備える車両のそれよりも大きくされている。
【００２１】
なお、図示においては、３つのサポートブラケットを頂点として画成される仮想的な三角形領域Ｒ２ａの範囲が、三角形領域Ｒ１ａと異なるため、触媒３２に設けられた支持サポートを符号Ｂ４で表している。この排気系２００においても、排気系２００の全体重心Ｇ２及びマフラ５の重心Ｍが、その仮想的な三角形領域Ｒ２ａ内に位置するように構成されている。
【００２２】
また、図３（Ａ）は、本発明による排気系構造の好適な第三実施形態を示す平面図であり、図３（Ｂ）は、同側面図である。排気系３００（排気系構造）は、センターパイプ４３，４４の代わりに、それらよりも直管部位が更に長尺なセンターパイプ４５，４６を備えること以外は、図２（Ａ）及び（Ｂ）に示す排気系２００と同様に構成されたものである。より具体的には、排気系３００を備える車両のホイールベースが、排気系１００，２００を備える車両のそれらよりも大きくされている。
【００２３】
なお、同図においても、３つのサポートブラケットを頂点として画成される仮想的な三角形領域Ｒ３ａの範囲が、三角形領域Ｒ１ａ，Ｒ２ａと異なるため、触媒３２に設けられた支持サポートを符号Ｂ５で表している。この排気系３００においても、全体重心Ｇ３及びマフラ５の重心Ｍが、その仮想的な三角形領域Ｒ３ａ内に位置するように構成されている。
【００２４】
これらの排気系２００，３００は、排気系１００と同様に、全体荷重が十分に均等化された構造を有しており、同様な振動低減効果を発現することができる。なお、重複説明を避けるため、ここでの詳述は省略する。また、このようにホイールベースひいてはセンターパイプの長さが変化して排気系の全長が異なる車両では、全体重心Ｇ１〜Ｇ３が図示の如く変化するが、いずれの場合にも、それら重心Ｇ１〜Ｇ３及びマフラの重心Ｍが、仮想的な三角形領域Ｒ１ａ，Ｒ２ａ，Ｒ３ａ内に位置するように構成される。よって、本発明によれば、ホイールベースの違いによって荷重支持点を増やすことなく、排気系１００，２００，３００全体を３つの荷重支持点によって支持できる利点がある（換言すれば、汎用性に優れる。）  
【００２５】
また、図４（Ａ）は、本発明による排気系構造の好適な第四実施形態を示す平面図であり、図４（Ｂ）は、同側面図である。排気系４００（排気系構造）は、テールパイプ６の代わりに、補助マフラ７が設置されたテールパイプ６１，６２を有すること以外は、図１（Ａ）及び（Ｂ）に示す排気系１００と同様に構成されたものである。補助マフラ７は、マフラ５よりも軽量であり、排気系１００の全体荷重への寄与はマフラ５の方が大きく、排気系４００の全体重心Ｇ４は、全体重心Ｇ１よりも若干テール側に変化する。この場合にも、全体重心Ｇ４及びマフラ５の重心は、３つのサポートブラケットを頂点とする仮想的な三角形領域Ｒ１ａ内に位置するので、排気系１００同様の優れた振動低減効果が奏される。
【００２６】
なお、本発明は上述した実施形態に限定されるものではなく、その要旨を変更しない限度において様々な変形が可能である。例えば、本発明は、内燃機関としてＶ型エンジン以外のエンジンを備える車両にも適用可能である。また、Ｖ型エンジンを備えるものに対しては、マフラ５の前段部において、両バンク側を支持する構成（排気系１００，４００のサポートブラケットＢ１，Ｂ２、排気系２００のサポートブラケットＢ１，Ｂ４、排気系３００のサポートブラケットＢ１，Ｂ５）が好ましい。この場合、触媒３２ではなく触媒３１にサポートブラケットＢ２，Ｂ４，Ｂ５を設け、サポートブラケットＢ１をマフラ５の図示手前側（センターパイプ４２，４４，４６側）に設け、サポートブラケットＢ３をマフラ５の図示奥側に設けてもよい。
【００２７】
また、ぶれ止め用の補助ブラケットＶは必ずしも取り付けなくてもよい。さらに、各排気系１００，２００，３００，４００においてサポートブラケットＢ３を削除してもよい。この場合、ぶれ止め用の補助ブラケットＶが、サポートブラケットに代わる荷重支持点として機能する。そのとき、３つの荷重支持点を頂点として形成される仮想的な領域は、図示破線で示す三角形領域Ｒ１ｂ，Ｒ２ｂ，Ｒ３ｂとなり、いずれの場合も、排気系の全体重心Ｇ１，Ｇ２，Ｇ３，Ｇ４、及びマフラの重心Ｍがそれら三角形領域Ｒ１ｂ，Ｒ２ｂ，Ｒ３ｂ内に位置するように構成できる。
【産業上の利用可能性】
【００２８】
本発明による排気系構造は、部品点数及び組立工数の増大を抑えつつ、系全体の荷重バランスを均等化でき、これにより、車室内振動を十分に低減できるので、内燃機関に接続された排気系等を備える車両等の機器、動機、設備等に広く利用することができる。
【図面の簡単な説明】
【００２９】
【図１】図１（Ａ）は、本発明による排気系構造の好適な第一実施形態を示す平面図であり、図１（Ｂ）は、同側面図である。
【図２】図２（Ａ）は、本発明による排気系構造の好適な第二実施形態を示す平面図であり、図２（Ｂ）は、同側面図である。
【図３】図３（Ａ）は、本発明による排気系構造の好適な第三実施形態を示す平面図であり、図３（Ｂ）は、同側面図である。
【図４】図４（Ａ）は、本発明による排気系構造の好適な第四実施形態を示す平面図であり、図４（Ｂ）は、同側面図である。
【符号の説明】
【００３０】
５…マフラ、６，６１，６２…テールパイプ、７…補助マフラ、１１，１２…フロントパイプ、２１，２２，３１，３２…触媒、４１，４２，４３，４４，４５，４６…センターパイプ、１００，２００，３００，４００…排気系（排気系構造）、Ｂ１，Ｂ２，Ｂ３，Ｂ４，Ｂ５…サポートブラケット（荷重支持点）、Ｇ１，Ｇ２，Ｇ３，Ｇ４…全体重心、Ｍ…マフラの重心、Ｒ１ａ，Ｒ２ａ，Ｒ３ａ，Ｒ１ｂ，Ｒ２ｂ，Ｒ３ｂ…三角形領域、Ｖ…補助ブラケット。
【図１】
2005219709.tif 000003
【図２】
2005219709.tif 000004
【図３】
2005219709.tif 000005
【図４】
2005219709.tif 000006